(57)【特許請求の範囲】
【請求項１】
複数の店舗のそれぞれに店舗用サーバが配置されており，クライアント・コンピュータと被注文サーバとの間で互いにデータ通信が可能であり，かつ上記被注文サーバと上記店舗用サーバとの間で互いにデータ通信が可能なシステムにおいて，
上記被注文サーバは，
上記店舗用サーバが配置されている店舗についての少なくとも店舗識別符号および店舗名を格納した店舗基本情報テーブル，上記店舗のそれぞれが行う画像処理サービスについてのサービス識別符号を上記店舗識別符号および基本料金とともに格納した展開サービス・テーブル，ならびに上記店舗が展開する特別サービスについての上記サービス識別符号を上記店舗識別符号，特別料金ならびに特別サービスの始期および終期とともに格納した特別サービス・テーブルを備えており，
上記クライアント・コンピュータは，
複数の画像処理サービスの中から所望の画像処理サービスの選択を受付ける画像処理サービス選択手段，および
上記画像処理選択手段により選択された画像処理サービスを表す選択画像処理サービス・データを，上記被注文サーバに送信する選択画像処理サービス・データ送信手段を備え，
上記被注文サーバはさらに，
上記選択画像処理サービス・データ送信手段から送信された上記選択画像処理サービス・データに応じて，上記展開サービス・テーブルおよび上記店舗基本情報テーブルに基づいて，選択画像処理サービスを実施している店舗名一覧を表す店舗名一覧データを，上記クライアント・コンピュータに送信する店舗名一覧データ送信手段を備え，
上記クライアント・コンピュータはさらに，
上記店舗名一覧データ送信手段から送信された店舗名一覧データによって表される店舗名一覧の中から所望の店舗の指定を受付ける指定手段，
上記指定手段により指定された店舗名を表すデータを上記被注文サーバに送信する指定店舗名送信手段，および
画像の印刷に関する注文情報を，上記被注文サーバに送信する注文情報送信手段を備え，
上記被注文サーバはさらに，
上記選択画像処理サービス・データ送信手段により送信された選択画像処理サービス・データによって表される選択画像処理サービスが，上記指定店舗名送信手段により送信された店舗名データによって指定される店舗が展開する特別サービスであるかどうかを，上記特別サービス・テーブルに基づいて判断する第１の判断手段，
上記第１の判断手段によって上記選択画像処理サービスが上記指定店舗が展開する特別サービスであると判断された場合に，上記特別サービス・テーブルに格納されている始期および終期によって特定される期間内であるかどうかを判断する第２の判断手段，
上記第１の判断手段によって特別サービスであることが判断され，かつ上記第２の判断手段によって期間内であることが判断された場合に，上記特別サービス・テーブルに格納されている指定店舗についての上記選択画像処理サービスに対する特別料金を利用して，上記注文情報に基づく利用料金を算出し，上記第１の判断手段によって特別サービスではないこと，または上記第２の判断手段によって期間外であることが判断された場合に，上記展開サービス・テーブルに格納されている指定店舗についての上記選択画像処理サービスに対する基本料金を利用して，上記注文情報に基づく利用料金を算出する利用料金算出手段，および
上記利用料金算出手段により算出された利用料金を，上記クライアント・コンピュータに送信する利用料金送信手段を備え，
上記被注文サーバはさらに，
上記指定店舗名送信手段により送信された指定店舗名データによって指定される店舗に配置されている上記店舗用サーバに，上記注文情報送信手段によって送信された注文情報に関連する情報を送信する注文関連情報送信手段を備え，
上記店舗用サーバは，
上記注文関連情報送信手段から送信された注文関連情報を受信する注文関連情報受信手段を備えている，
画像印刷注文システム。
【請求項２】
複数の店舗のそれぞれに店舗用サーバが配置されており，クライアント・コンピュータと被注文サーバとの間で互いにデータ通信が可能であり，かつ上記被注文サーバと上記店舗用サーバとの間で互いにデータ通信が可能なシステムにおいて，
上記被注文サーバは，
上記店舗用サーバが配置されている店舗についての少なくとも店舗識別符号および店舗名を格納した店舗基本情報テーブル，上記店舗のそれぞれが行う画像処理サービスについてのサービス識別符号を上記店舗識別符号および基本料金とともに格納した展開サービス・テーブル，ならびに上記店舗が展開する特別サービスについての上記サービス識別符号を上記店舗識別符号，特別料金ならびに特別サービスの始期および終期とともに格納した特別サービス・テーブルを備えており，
上記被注文サーバは，
上記クライアント・コンピュータからの店舗名一覧要求に応じて，上記店舗基本情報テーブルに格納されている店舗名一覧を表すデータを上記クライアント・コンピュータに送信する店舗名一覧データ送信手段を備え，
上記クライアント・コンピュータはさらに，
上記店舗名一覧データ送信手段から送信された上記店舗名一覧データによって表される店舗名一覧の中から所望の店舗の指定を受付ける指定手段，および
上記指定手段により指定された店舗名を表すデータを上記被注文サーバに送信する指定店舗名送信手段を備え，
上記被注文サーバはさらに，
上記指定店舗名送信手段によって送信された指定店舗が実施している画像処理サービスを表す画像処理サービス・データを，上記展開サービス・テーブルに基づいて上記クライアント・コンピュータに送信する画像処理サービス・データ送信手段を備え，
上記クライアント・コンピュータはさらに，
上記画像処理サービス・データ送信手段によって送信された上記画像処理サービス・データによって表される画像処理サービスの中から所望の画像処理サービスの選択を受付ける画像処理サービス選択手段，
上記画像処理サービス選択手段により選択された画像処理サービスを表す選択画像処理サービス・データを，上記被注文サーバに送信する選択画像処理サービス・データ送信手段，および
画像の印刷に関する注文情報を，上記被注文サーバに送信する注文情報送信手段を備え，
上記被注文サーバはさらに，
上記選択画像処理サービス・データ送信手段により送信された選択画像処理サービス・データによって表される選択画像処理サービスが，上記指定店舗名送信手段により送信された店舗名データによって指定される店舗が展開する特別サービスであるかどうかを，上記特別サービス・テーブルに基づいて判断する第１の判断手段，
上記第１の判断手段によって上記選択画像処理サービスが上記指定店舗が展開する特別サービスであると判断された場合に，上記特別サービス・テーブルに格納されている始期および終期によって特定される期間内にあるかどうかを判断する第２の判断手段，
上記第１の判断手段によって特別サービスであることが判断され，かつ上記第２の判断手段によって期間内であることが判断された場合に，上記特別サービス・テーブルに格納されている指定店舗についての上記選択画像処理サービスに対する特別料金を利用して，上記注文情報に基づく利用料金を算出し，上記第１の判断手段によって特別サービスでないこと，または上記第２の判断手段によって期間外であることが判断された場合に，上記展開サービス・テーブルに格納されている指定店舗についての上記選択画像処理サービスに対する基本料金を利用して，上記注文情報に基づく利用料金を算出する利用料金算出手段，および
上記利用料金算出手段により算出された利用料金を，上記クライアント・コンピュータに送信する利用料金送信手段を備え，
上記被注文サーバはさらに，
上記指定店舗名送信手段から送信された指定店舗名データによって指定される店舗に配置されている上記店舗用サーバに，上記注文情報送信手段によって送信された注文情報に関連する情報を送信する注文関連情報送信手段を備え，
上記店舗用サーバは，
上記注文関連情報送信手段から送信された注文関連情報を受信する注文関連情報受信手段を備えている，
画像印刷注文システム。
【請求項３】
上記被注文サーバの上記店舗基本情報テーブルには上記店舗の所在地に関する情報がさらに格納されており，
上記クライアント・コンピュータは，
地域特定に関する地域特定関連データを上記被注文サーバに送信する地域特定関連データ送信手段をさらに備え，
上記被注文サーバの上記店舗名一覧データ送信手段は，上記店舗基本情報テーブルに基づいて，上記地域特定関連データ送信手段から送信された上記地域特定関連データによって表される地域に存在する店舗名一覧を，上記クライアント・コンピュータに送信するものである，
請求項１または２に記載の画像印刷注文システム。
【請求項４】
上記被注文サーバは，
上記選択画像処理サービス・データ送信手段から送信された選択画像処理サービス・データによって表される画像処理サービスを，印刷する上記画像を表す画像データについて行い，画像処理後の画像データを上記店舗用サーバに送信する手段をさらに備えている，
請求項１または２に記載の画像印刷注文システム。
【請求項５】
上記被注文サーバは，
上記選択画像処理サービス・データ送信手段から送信された選択画像処理サービス・データを，指定店舗に配置されている店舗用サーバに送信する手段をさらに備え，
上記店舗用サーバは，
上記被注文サーバから送信された選択画像処理サービス・データによって表される画像処理サービスを，印刷する上記画像を表す画像データについて行う手段を備えている，請求項１または２に記載の画像印刷注文システム。
【請求項６】
上記被注文サーバは，
上記店舗の広告を表すデータを上記店舗識別符号とともに格納した広告テーブルをさらに備えており，
指定店舗名を表すデータの受信に応じて，上記広告テーブルに基づいて，指定店舗についての広告を表すデータを上記クライアント・コンピュータに送信する広告データ送信手段をさらに備えている，請求項１または２に記載の画像印刷注文システム。
【請求項７】
複数の店舗のそれぞれに店舗用サーバが配置されており，クライアント・コンピュータと被注文サーバとの間で互いにデータ通信が可能であり，かつ上記被注文サーバと上記店舗用サーバとの間で互いにデータ通信が可能なシステムを構成する，上記被注文サーバにおいて，
上記店舗用サーバが配置されている店舗についての少なくとも店舗識別符号および店舗名を格納した店舗基本情報テーブル，上記店舗のそれぞれが行う画像処理サービスについてのサービス識別符号を上記店舗識別符号および基本料金とともに格納した展開サービス・テーブル，ならびに上記店舗が展開する特別サービスについての上記サービス識別符号を上記店舗識別符号，特別料金ならびに特別サービスの始期および終期とともに格納した特別サービス・テーブルを備えており，
上記クライアント・コンピュータが用いられて選択されて送信される画像処理サービスを表す選択画像処理サービス・データを受信する手段，
受信した上記選択画像処理サービス・データに応じて，上記展開サービス・テーブルおよび上記店舗基本情報テーブルに基づいて，選択画像処理サービスを実施している店舗名一覧を表す店舗名一覧データを，上記クライアント・コンピュータに送信する店舗名一覧データ送信手段，
上記クライアント・コンピュータが用いられて指定されて送信される，指定店舗名を表すデータを受信する手段，
上記クライアント・コンピュータが用いられて入力されて送信される，画像の印刷に関する注文情報を受信する手段，
上記選択画像処理サービスが上記指定店舗が展開する特別サービスであるかどうかを，上記特別サービス・テーブルに基づいて判断する第１の判断手段，
上記第１の判断手段によって上記選択画像処理サービスが上記指定店舗が展開する特別サービスであると判断された場合に，上記特別サービス・テーブルに格納されている始期および終期によって特定される期間内であるかどうかを判断する第２の判断手段，
上記第１の判断手段によって特別サービスであることが判断され，かつ上記第２の判断手段によって期間内であることが判断された場合に，上記特別サービス・テーブルに格納されている指定店舗についての上記選択画像処理サービスに対する特別料金を利用して，上記注文情報に基づく利用料金を算出し，上記第１の判断手段によって特別サービスではないこと，または上記第２の判断手段によって期間外であることが判断された場合に，上記展開サービス・テーブルに格納されている指定店舗についての上記選択画像処理サービスに対する基本料金を利用して，上記注文情報に基づく利用料金を算出する利用料金算出手段，
上記利用料金算出手段により算出された利用料金を，上記クライアント・コンピュータに送信する利用料金送信手段，ならびに
上記指定店舗名データ受信手段によって受信された指定店舗名を表すデータによって指定される店舗に配置されている上記店舗用サーバに，上記注文情報受信手段によって受信された注文情報に関連する情報を送信する注文関連情報送信手段，
を備えた被注文サーバ。
【請求項８】
複数の店舗のそれぞれに店舗用サーバが配置されており，クライアント・コンピュータと被注文サーバとの間で互いにデータ通信が可能であり，かつ上記被注文サーバと上記店舗用サーバとの間で互いにデータ通信が可能なシステムを構成する，上記被注文サーバにおいて，
上記店舗用サーバが配置されている店舗についての少なくとも店舗識別符号および店舗名を格納した店舗基本情報テーブル，上記店舗のそれぞれが行う画像処理サービスについてのサービス識別符号を上記店舗識別符号および基本料金とともに格納した展開サービス・テーブル，ならびに上記店舗が展開する特別サービスについての上記サービス識別符号を，店舗識別符号，特別料金ならびに特別サービスの始期および終期とともに格納した特別サービス・テーブルを備えており，
上記クライアント・コンピュータからの店舗名一覧要求に応じて，上記店舗基本情報テーブルに格納されている店舗名一覧を表すデータを上記クライアント・コンピュータに送信する店舗名一覧データ送信手段，
上記クライアント・コンピュータにおいて指定されて送信される，指定店舗名を表すデータを受信する手段，
上記指定店舗が実施している画像処理サービスを表す画像処理サービス・データを，上記展開サービス・テーブルに基づいて上記クライアント・コンピュータに送信する画像処理サービス・データ送信手段，
上記クライアント・コンピュータにおいて選択されて送信される，画像処理サービスを表す選択画像処理データを受信する手段，
上記クライアント・コンピュータが用いられて入力されて送信される，画像の印刷に関する注文情報を受信する手段，
上記選択画像処理サービスが上記指定店舗が展開する特別サービスであるかどうかを，上記特別サービス・テーブルに基づいて判断する第１の判断手段，
上記第１の判断手段によって上記選択画像処理サービスが上記指定店舗が展開する特別サービスであると判断された場合に，上記特別サービス・テーブルに格納されている始期および終期によって特定される期間内にあるかどうかを判断する第２の判断手段，
上記第１の判断手段によって特別サービスであることが判断され，かつ上記第２の判断手段によって期間内であることが判断された場合に，上記特別サービス・テーブルに格納されている指定店舗についての上記選択画像処理サービスに対する特別料金を利用して，上記注文情報に基づく利用料金を算出し，上記第１の判断手段によって特別サービスではないこと，または上記第２の判断手段によって期間外であることが判断された場合に，上記展開サービス・テーブルに格納されている指定店舗についての上記選択画像処理サービスに対する基本料金を利用して，上記注文情報に基づく利用料金を算出する利用料金算出手段，
上記利用料金算出手段により算出された利用料金を，上記クライアント・コンピュータに送信する利用料金送信手段，ならびに
上記指定店舗名受信手段によって受信された指定店舗名を表すデータによって指定される店舗に配置されている上記店舗用サーバに，上記注文情報受信手段によって受信された注文情報に関連する情報を送信する注文関連情報送信手段，
を備えた被注文サーバ。
【請求項９】
複数の店舗のそれぞれに店舗用サーバが配置されており，クライアント・コンピュータと被注文サーバとの間で互いにデータ通信が可能であり，かつ上記被注文サーバと上記店舗用サーバとの間で互いにデータ通信が可能なシステムにおいて，
上記被注文サーバは，
上記店舗用サーバが配置されている店舗についての少なくとも店舗識別符号および店舗名を格納した店舗基本情報テーブル，上記店舗のそれぞれが行う画像処理サービスについてのサービス識別符号を上記店舗識別符号および基本料金とともに格納した展開サービス・テーブル，ならびに上記店舗が展開する特別サービスについての上記サービス識別符号を上記店舗識別符号，特別料金ならびに特別サービスの始期および終期とともに格納した特別サービス・テーブルを備えており，
上記クライアント・コンピュータは，
複数の画像処理サービスの中から所望の画像処理サービスの選択を受付け，
選択された画像処理サービスを表す選択画像処理サービス・データを，上記被注文サーバに送信し，
上記被注文サーバはさらに，
送信された上記選択画像処理サービス・データに応じて，上記展開サービス・テーブルおよび上記店舗基本情報テーブルに基づいて，選択画像処理サービスを実施している店舗名一覧を表す店舗名一覧データを，上記クライアント・コンピュータに送信し，
上記クライアント・コンピュータはさらに，
送信された店舗名一覧データによって表される店舗名一覧の中から所望の店舗の指定を受付け，
指定された店舗名を表すデータを上記被注文サーバに送信し，
画像の印刷に関する注文情報を上記被注文サーバに送信し，
上記被注文サーバはさらに，
送信された選択画像処理サービス・データによって表される選択画像処理サービスが，指定店舗が展開する特別サービスであるかどうかを，上記特別サービス・テーブルに基づいて判断し，
上記選択画像処理サービスが上記指定店舗が展開する特別サービスであると判断された場合に，上記特別サービス・テーブルに格納されている始期および終期によって特定される期間内であるかどうかをさらに判断し，
特別サービスであることが判断され，かつ期間内であることが判断された場合に，上記特別サービス・テーブルに格納されている指定店舗についての上記選択画像処理サービスに対する特別料金を利用して，上記注文情報に基づく利用料金を算出し，上記第１の判断手段によって特別サービスではないこと，または上記第２の判断手段によって期間外であることが判断された場合に，上記展開サービス・テーブルに格納されている指定店舗についての上記選択画像処理サービスに対する基本料金を利用して，上記注文情報に基づく利用料金を算出し，
算出された利用料金を，上記クライアント・コンピュータに送信し，
上記被注文サーバはさらに，
送信された指定店舗名データによって指定される店舗に配置されている上記店舗用サーバに，送信された注文情報に関連する情報を送信し，
上記店舗用サーバは，
送信された注文関連情報を受信する，
画像印刷注文方法。
【請求項１０】
複数の店舗のそれぞれに店舗用サーバが配置されており，クライアント・コンピュータと被注文サーバとの間で互いにデータ通信が可能であり，かつ上記被注文サーバと上記店舗用サーバとの間で互いにデータ通信が可能なシステムにおいて，
上記被注文サーバは，
上記店舗用サーバが配置されている店舗についての少なくとも店舗識別符号および店舗名を格納した店舗基本情報テーブル，上記店舗のそれぞれが行う画像処理サービスについてのサービス識別符号を上記店舗識別符号および基本料金とともに格納した展開サービス・テーブル，ならびに上記店舗が展開する特別サービスについての上記サービス識別符号を上記店舗識別符号，特別料金ならびに特別サービスの始期および終期とともに格納した特別サービス・テーブルを備えており，
上記被注文サーバは，
上記クライアント・コンピュータからの店舗名一覧要求に応じて，上記店舗基本情報テーブルに格納されている店舗名一覧を表すデータを上記クライアント・コンピュータに送信し，
上記クライアント・コンピュータは，
送信された上記店舗名一覧データによって表される店舗名一覧の中から所望の店舗の指定を受付け，
指定された店舗名を表すデータを上記被注文サーバに送信し，
上記被注文サーバはさらに，
送信された指定店舗が実施している画像処理サービスを表す画像処理サービス・データを，上記展開サービス・テーブルに基づいて上記クライアント・コンピュータに送信し，
上記クライアント・コンピュータはさらに，
送信された上記画像処理サービス・データによって表される画像処理サービスの中から所望の画像処理サービスの選択を受付け，
選択された画像処理サービスを表す選択画像処理サービス・データを上記被注文サーバに送信し，
画像の印刷に関する注文情報を上記被注文サーバに送信し，
上記被注文サーバはさらに，
送信された選択画像処理サービス・データによって表される選択画像処理サービスが，指定店舗が展開する特別サービスであるかどうかを，上記特別サービス・テーブルに基づいて判断し，
上記選択画像処理サービスが上記指定店舗が展開する特別サービスであると判断された場合に，上記特別サービス・テーブルに格納されている始期および終期によって特定される期間内にあるかどうかをさらに判断し，
特別サービスであることが判断され，かつ期間内であることが判断された場合に，上記特別サービス・テーブルに格納されている指定店舗についての上記選択画像処理サービスに対する特別料金を利用して，上記注文情報に基づく利用料金を算出し，特別サービスでないこと，または期間外であることが判断された場合に，上記展開サービス・テーブルに格納されている指定店舗についての上記選択画像処理サービスに対する基本料金を利用して，上記注文情報に基づく利用料金を算出し，
算出された利用料金を上記クライアント・コンピュータに送信し，
上記被注文サーバはさらに，
送信された指定店舗名データによって指定される店舗に配置されている上記店舗用サーバに，送信された注文情報に関連する情報を送信し，
上記店舗用サーバは，
送信された注文関連情報を受信する，
画像印刷注文方法。
【請求項１１】
上記被注文サーバの上記店舗基本情報テーブルには上記店舗の所在地に関する情報がさらに格納されており，
地域特定に関する地域特定関連データを上記クライアント・コンピュータから上記被注文サーバに送信し，
上記クライアント・コンピュータから送信された上記地域特定関連データによって表される地域に存在する店舗名一覧を，上記被注文サーバから上記クライアント・コンピュータに送信する，請求項９または１０に記載の画像印刷注文方法。
【請求項１２】
上記被注文サーバにおいて，送信された選択画像処理サービス・データによって表される選択された画像処理サービスを，印刷する上記画像を表す画像データについて行い，画像処理後の画像データを上記店舗用サーバに送信する，
請求項９または１０に記載の画像印刷注文方法。
【請求項１３】
送信された選択画像処理サービス・データを，上記被注文サーバから指定店舗に配置されている店舗用サーバに送信し，
店舗用サーバにおいて，送信された選択画像処理サービス・データによって表される選択された画像処理サービスを，印刷する上記画像を表す画像データについて行う，
請求項９または１０に記載の画像印刷注文方法。
【請求項１４】
複数の店舗のそれぞれに店舗用サーバが配置されており，クライアント・コンピュータと被注文サーバとの間で互いにデータ通信が可能であり，かつ上記被注文 サーバと上記店舗用サーバとの間で互いにデータ通信が可能なシステムを構成する上記被注文サーバの動作制御方法であって，
上記被注文サーバは，
上記店舗用サーバが配置されている店舗についての少なくとも店舗識別符号および店舗名を格納した店舗基本情報テーブル，上記店舗のそれぞれが行う画像処理サービスについてのサービス識別符号を上記店舗識別符号および基本料金とともに格納した展開サービス・テーブル，ならびに上記店舗が展開する特別サービスについての上記サービス識別符号を上記店舗識別符号，特別料金ならびに特別サービスの始期および終期とともに格納した特別サービス・テーブルを備えており，
上記クライアント・コンピュータが用いられて選択されて送信される，画像処理サービスを表す選択画像処理サービス・データを受信し，
受信した上記選択画像処理サービス・データに応じて，上記展開サービス・テーブルおよび上記店舗基本情報テーブルに基づいて，選択画像処理サービスを実施している店舗名一覧を表す店舗名一覧データを，上記クライアント・コンピュータに送信し，
上記クライアント・コンピュータが用いられて指定されて送信される，指定店舗名を表すデータを受信し，
上記クライアント・コンピュータが用いられて入力されて送信される，画像の印刷に関する注文情報を受信し，
上記選択画像処理サービスが上記指定店舗が展開する特別サービスであるかどうかを，上記特別サービス・テーブルに基づいて判断し，
上記選択画像処理サービスが上記指定店舗が展開する特別サービスであると判断された場合に，上記特別サービス・テーブルに格納されている始期および終期によって特定される期間内であるかどうかをさらに判断し，
特別サービスであることが判断され，かつ期間内であることが判断された場合に，上記特別サービス・テーブルに格納されている指定店舗についての上記選択画像処理サービスに対する特別料金を利用して，上記注文情報に基づく利用料金を算出し，特別サービスではないこと，または期間外であることが判断された場合に，上記展開サービス・テーブルに格納されている指定店舗についての上記選択画像処理サービスに対する基本料金を利用して，上記注文情報に基づく利用料金を算出し，
算出された利用料金を，上記クライアント・コンピュータに送信し，
受信された指定店舗名を表すデータによって指定される店舗に配置されている上記店舗用サーバに，受信された注文情報に関連する情報を送信する，
被注文サーバの動作制御方法。
【請求項１５】
複数の店舗のそれぞれに店舗用サーバが配置されており，クライアント・コンピュータと被注文サーバとの間で互いにデータ通信が可能であり，かつ上記被注文 サーバと上記店舗用サーバとの間で互いにデータ通信が可能なシステムを構成する上記被注文サーバの動作制御方法であって，
上記被注文サーバは，
上記店舗用サーバが配置されている店舗についての少なくとも店舗識別符号および店舗名を格納した店舗基本情報テーブル，上記店舗のそれぞれが行う画像処理サービスについてのサービス識別符号を上記店舗識別符号および基本料金とともに格納した展開サービス・テーブル，ならびに上記店舗が展開する特別サービスについての上記サービス識別符号を，店舗識別符号，特別料金ならびに特別サービスの始期および終期とともに格納した特別サービス・テーブルを備えており，
上記クライアント・コンピュータからの店舗名一覧要求に応じて，上記店舗基本情報テーブルに格納されている店舗名一覧を表すデータを上記クライアント・コンピュータに送信し，
上記クライアント・コンピュータにおいて指定されて送信される，指定店舗名を表すデータを受信し，
上記指定店舗が実施している画像処理サービスを表す画像処理サービス・データを，上記展開サービス・テーブルに基づいて上記クライアント・コンピュータに送信し，
上記クライアント・コンピュータにおいて選択されて送信される，画像処理サービスを表す選択画像処理データを受信し，
上記クライアント・コンピュータが用いられて入力されて送信される，画像の印刷に関する注文情報を受信し，
上記選択画像処理サービスが上記指定店舗が展開する特別サービスであるかどうかを，上記特別サービス・テーブルに基づいて判断し，
上記選択画像処理サービスが上記指定店舗が展開する特別サービスであると判断された場合に，上記特別サービス・テーブルに格納されている始期および終期によって特定される期間内にあるかどうかをさらに判断し，
特別サービスであることが判断され，かつ期間内であることが判断された場合に，上記特別サービス・テーブルに格納されている指定店舗についての上記選択画像処理サービスに対する特別料金を利用して，上記注文情報に基づく利用料金を算出し，特別サービスではないこと，または期間外であることが判断された場合に，上記展開サービス・テーブルに格納されている指定店舗についての上記選択画像処理サービスに対する基本料金を利用して，上記注文情報に基づく利用料金を算出し，
算出された利用料金を，上記クライアント・コンピュータに送信し，
受信された指定店舗名を表すデータによって指定される店舗に配置されている上記店舗用サーバに，受信された注文情報に関連する情報を送信する，
被注文サーバの動作制御方法。
【発明の詳細な説明】
【０００１】
【技術分野】
この発明は，複数の店舗のそれぞれに店舗用サーバが配置されており，クライアント・コンピュータと被注文サーバとの間で互いにデータ通信が可能であり，かつ上記被注文サーバと上記店舗用サーバとの間で互いにデータ通信が可能な画像印刷システムおよびそのようなシステムにおける画像印刷方法ならびに画像印刷システムを構成するクライアント・コンピュータ，被注文サーバおよびそれらの動作制御方法ならびにクライアント・コンピュータの動作を制御するためのプログラムが格納された記録媒体に関する。
【０００２】
【発明の背景】
クライアント・コンピュータから被注文サーバに画像の印刷についての注文情報を送信し，注文情報を受信した被注文サーバにおいて，注文情報にしたがって画像を印刷するシステムが実現化されつつある。このようなシステムでは，被注文用サーバに接続されている高解像度のプリンタによって画像が印刷され，印刷物がクライアント・コンピュータのユーザに郵送される。
【０００３】
また，被注文サーバと通信可能な店舗用サーバを店舗に配置し，被注文サーバから店舗用サーバに印刷する画像データを表す画像データを送信し，店舗用サーバに接続された高解像度プリンタによって画像が印刷されることもある。この場合には，クライアント・コンピュータのユーザが店舗に出向き，印刷物を受け取る。
【０００４】
クライアント・コンピュータのユーザが店舗に出向き，印刷物を受け取る場合には，あらかじめ店舗に関する情報を注文時に知ることができればユーザは便利である。
【０００５】
【発明の開示】
この発明は，クライアント・コンピュータから被注文サーバに画像の印刷を注文する場合に，あらかじめ店舗に関する情報を知ることができることを目的とする。
【０００６】
この発明は，複数の店舗のそれぞれに店舗用サーバが配置されており，クライアント・コンピュータと被注文サーバとの間で互いにデータ通信が可能であり，かつ上記被注文サーバと上記店舗用サーバとの間で互いにデータ通信が可能なシステムについてのものである。
【０００７】
上記被注文サーバは，上記クライアント・コンピュータからの店舗名一覧要求に応じて店舗名一覧を表すデータを上記クライアント・コンピュータに送信する店舗名一覧データ送信手段を備えている。
【０００８】
上記クライアント・コンピュータは，上記店舗名一覧データ送信手段から送信された店舗名一覧データによって表される店舗名一覧を表示するように表示装置を制御する第１の表示制御手段，上記第１の表示制御手段による表示制御のもとに上記表示装置に表示された店舗名一覧の中から所望の店舗を指定する指定手段，上記指定手段により指定された店舗名を表すデータを上記被注文サーバに送信する指定店舗名送信手段，および画像の印刷に関する注文情報を，上記被注文サーバに送信する注文情報送信手段をさらに備えている。
【０００９】
上記被注文サーバは，上記指定店舗名送信手段から送信された指定店舗名データによって指定される店舗に配置されている上記店舗用サーバに，上記注文情報送信手段によって送信された注文情報に関連する情報を送信する注文関連情報送信手段をさらに備えている。
【００１０】
上記店舗用サーバは，上記注文関連情報送信手段から送信される注文関連情報を受信する注文関連情報受信手段を備えている。
【００１１】
この発明は，上記システムに適した方法も提供している。すなわち，複数の店舗のそれぞれに店舗用サーバが配置されており，クライアント・コンピュータと被注文サーバとの間で互いにデータ通信が可能であり，かつ上記被注文サーバと上記店舗用サーバとの間で互いにデータ通信が可能なシステムに適用される方法である。
【００１２】
上記クライアント・コンピュータからの店舗名一覧要求に応じて店舗名一覧を表すデータを上記被注文サーバから上記クライアント・コンピュータに送信し，上記被注文サーバから送信された店舗名一覧データによって表される店舗名一覧を上記クライアント・コンピュータの表示装置に表示し，上記表示装置に表示された店舗名一覧の中から所望の店舗を指定し，指定された店舗名を表すデータおよび画像の印刷に関する注文情報を上記クライアント・コンピュータから上記被注文サーバに送信し，上記クライアント・コンピュータから送信された指定店舗名データによって指定される店舗に配置されている上記店舗用サーバに，上記注文情報送信手段によって送信された注文情報に関連する情報を，上記被注文サーバから送信し，上記被注文サーバから送信される注文関連情報を上記店舗用サーバにおいて受信するものである。
【００１３】
この発明によると，上記クライアント・コンピュータからの店舗名一覧送信要求に応じて上記被注文サーバから上記クライアント・コンピュータに上記店舗名一覧データが送信される。上記クライアント・コンピュータにおいて上記店舗名一覧データを受信すると，上記クライアント・コンピュータに接続されている上記表示装置に上記店舗名一覧が表示される。
【００１４】
上記クライアント・コンピュータのユーザは，一覧表示された店舗名の中から所望の店舗を選択する。選択された店舗名を表すデータが上記クライアント・コンピュータから上記被注文サーバに送信される。また，上記クライアント・コンピュータから上記被注文サーバに，画像の印刷に関する注文情報（注文枚数，注文者の氏名，住所など）が送信される。
【００１５】
上記被注文サーバにおいて，選択された店舗名を表すデータおよび上記注文情報が受信されると，上記被注文サーバから，選択された店舗に配置されている上記店舗用サーバに上記注文関連情報（注文情報そのものであってもよいし，印刷のための画像データを含むものでもよい）が送信される。
【００１６】
上記注文関連情報を受信した上記店舗用サーバにおいて，上記注文関連情報にもとづいて画像が印刷される。
【００１７】
この発明によると，クライアント・コンピュータのユーザは上記店舗名一覧を注文時にあらかじめ見ることができる。この店舗名一覧を見ることによりユーザに便利な店舗を選択することができる。
【００１８】
上記システムを構成する上記クライアント・コンピュータまたは上記被注文サーバを単独で構成してもよい。さらに，上記クライアント・コンピュータの動作を制御するためのプログラムを記録媒体に格納することもできる。
【００１９】
好ましくは，地域特定に関する地域特定関連データを上記クライアント・コンピュータから上記サーバに送信し，上記クライアント・コンピュータから送信された上記地域特定関連データによって表される地域に存在する店舗名一覧を，上記被注文サーバから上記クライアント・コンピュータに送信するものとする。
【００２０】
上記クライアント・コンピュータのユーザがユーザに便利な（例えば，ユーザの自宅に近くの）地域を特定する地域特定関連データを上記サーバに送信することにより，上記被注文サーバから，特定の地域に存在する店舗名一覧を表すデータが上記クライアント・コンピュータに送信される。必要な地域に存在する店舗名だけを得ることができる。
【００２１】
また，指定された店舗が行う画像処理に関するサービスを表す画像処理サービス・データを，上記被注文サーバから上記クライアント・コンピュータに送信し，上記画像処理サービス・データによって表される画像処理サービスを，上記クライアント・コンピュータの表示装置に表示し，上記表示装置に表示される画像処理サービスの中から所望の画像処理サービスを選択し，選択された画像処理サービスを表す選択画像処理データを，上記クライアント・コンピュータから被注文サーバに送信し，上記被注文サーバにおいて，送信された選択画像処理データによって表される選択された画像処理を，印刷する上記画像を表す画像データについて行い，画像処理後の画像データを上記店舗用サーバに送信するものとしてもよい。
【００２２】
上記被注文サーバから上記クライアント・コンピュータに，指定された店舗が行う画像処理に関するサービス（例えば，ポストカードを作成するためのテンプレートへの画像合成，カレンダを作成するためのテンプレートへの画像合成などの画像処理に関するサービス，画像データをアップロードし，アップロードした画像データによって表される画像を印刷するサービス），を表す画像処理サービス・データが送信される。上記クライアント・コンピュータに上記画像処理サービス・データが送信されると，上記クライアント・コンピュータの表示装置に上記画像処理サービス・データによって表される画像処理サービスの内容が表示される。
【００２３】
上記クライアント・コンピュータのユーザは，表示装置に表示された画像処理サービスを見て，ユーザが利用したい画像処理サービスを選択する。選択された画像処理サービスを表すデータが上記クライアント・コンピュータから上記被注文サーバに送信される。
【００２４】
上記被注文サーバにおいて，選択された画像処理が印刷する画像を表す画像データについて行われる。選択された画像処理が行われた画像データが上記被注文サーバから上記店舗用サーバに送信される。
【００２５】
クライアント・コンピュータのユーザは，ユーザが指定した店舗が行う画像処理サービスを知ることができる。指定した店舗が行う画像処理サービスの中で所望の画像処理サービスを選択できる。指定した店舗がユーザが利用しようとした画像処理サービスを実施していない場合には，ユーザが利用しようとする画像処理サービスを実施している店舗を新たに選択することもできる。
【００２６】
上記被注文サーバにおいて，ユーザが選択した画像処理を行い，画像処理された画像データが上記被注文サーバから上記店舗用サーバに送信されているが，ユーザが選択した画像処理を上記店舗用サーバにおいて行ってもよい。画像処理を上記店舗用サーバにおいて行うときには，選択された画像処理を表すデータおよび画像処理前の画像データが上記被注文サーバから上記店舗用サーバに送信されることとなろう。
【００２７】
さらに，好ましくは，上記クライアント・コンピュータにおいて，複数の画像処理の中から所望の画像処理を選択し，選択された画像処理を表す選択画像処理データを上記被注文サーバに送信し，上記被注文サーバにおいて，上記クライアント・コンピュータから送信された上記選択画像処理データによって表される画像処理を行う店舗名の一覧を表す画像処理店舗名一覧データを上記クライアント・コンピュータに送信し，上記クライアント・コンピュータにおいて，上記画像処理店舗名一覧データによって表される画像処理店舗名一覧の中から所望の店舗を選択するものとする。
【００２８】
上記クライアント・コンピュータのユーザが店舗を選択する前に，ユーザが利用しようとする画像処理が選択される。選択された画像処理を行う店舗名一覧が上記被注文サーバから上記クライアント・コンピュータに送信される。ユーザは，店舗名一覧の中から所望の店舗を選択する。
【００２９】
店舗を選択する前に，ユーザが利用しようとする画像処理を行っている店舗を知ることができる。選択した店舗は，常にユーザが利用しようとする画像処理を行っていることとなる。
【００３０】
さらに，上記被注文サーバが，選択された画像処理サービスについて，指定された店舗における利用料金を算出する利用料金算出手段，および上記利用料金算出手段により算出された利用料金を，上記クライアント・コンピュータに送信する利用料金送信手段を設けてもよい。
【００３１】
上記クライアント・コンピュータのユーザは，利用料金を知ることができる。店舗ごとに利用料金が異なる場合でも，ユーザが選択した店舗の利用料金がわかる。さらに，特定の店舗が特定に期間の間特別料金を設定している場合でもその特別料金を上記クライアント・コンピュータのユーザは知ることができる。
【００３２】
さらに，上記被注文サーバが，指定した店舗を表すデータを受信したことに応じてその指定店舗についての広告を表すデータを上記クライアント・コンピュータに送信する広告データ送信手段をさらに設けてもよい。
【００３３】
上記被注文サーバから上記クライアント・コンピュータの指定店舗についての広告を表すデータを送信できる。上記クライアント・コンピュータの表示装置に指定店舗についての広告を表示できる。
【００３４】
さらに被注文サーバは，クライアント・コンピュータと被注文サーバとの間で互いにデータ通信が可能なシステムを構成し，店舗名一覧要求に応じて店舗名一覧を表すデータを上記クライアント・コンピュータに送信する店舗名一覧データ送信手段，上記クライアント・コンピュータにおいて指定された店舗名を表すデータおよび画像の印刷に関する注文情報を受信する受信手段，ならびに上記受信手段によって受信された上記注文情報にもとづいて画像を印刷する印刷手段を備えてもよい。
【００３５】
この場合には被注文サーバにおいて印刷された画像は店舗（この店舗はクライアント・コンピュータによって指定されることとなろう）に郵送されよう。
【００３６】
【実施例の説明】
図１は，この実施例による画像印刷注文システムの概要を示している。
【００３７】
画像印刷注文システムは，通常はユーザの自宅に置かれるクライアント・コンピュータ１と，クライアント・コンピュータ１からの画像の印刷注文を受け付ける被注文サーバ２５と，複数の店舗（ラボラトリ）に配置される店舗用サーバ３０とから構成されている。クライアント・コンピュータ１と被注文サーバ２５とはインターネットを介して互いにデータ通信が可能である。被注文サーバ２５と店舗用サーバ３０ともインターネットを介して互いにデータ通信が可能である。
【００３８】
クライアント・コンピュータ１から被注文サーバ２５に画像の印刷のついての注文情報が送信される。注文情報を被注文サーバ２５が受信すると，その注文情報が店舗用サーバ３０に送信され，店舗用サーバ３０に接続されている高解像度プリンタを用いて画像が印刷される。画像が印刷されると，店舗用サーバ３０からクライアント・コンピュータ１のユーザにその旨が連絡される。クライアント・コンピュータ１のユーザは，店舗用サーバ３０のオペレータからの連絡を受けて画像の印刷物を店舗に取りに行く。
【００３９】
画像印刷システムの詳細は，以下の説明によってより明らかとなろう。
【００４０】
図２は，クライアント・コンピュータ１の電気的構成を示すブロック図である。
【００４１】
クライアント・コンピュータ１の全体の動作はＣＰＵ１１によって統括される。
【００４２】
クライアント・コンピュータ１には被注文サーバ２５とデータ通信を行うためのモデム２，ＦＤ（フロッピィ・ディスク）にデータを記録する，およびＦＤに記録されているデータを読み取るためのＦＤドライブ３，ＣＤ−ＲＯＭ（コンパクト・ディスク・リード・オンリ・メモリ）に記録されているデータを読み取るためのＣＤ−ＲＯＭドライブ４，マウス５およびキーボード６が接続されている。これらのモデム２等から得られるデータはシステムＩ／Ｏコントローラ７を介してクライアント・コンピュータ１に取り込まれる。
【００４３】
ＣＤ−ＲＯＭに画像印刷注文のプログラムが格納されており，ＣＤ−ＲＯＭに格納されているプログラムがＣＤ−ＲＯＭドライブ４によって読み取られ，そのプログラムがクライアント・コンピュータ１にインストールされる。
【００４４】
さらに，クライアント・コンピュータ１には，バス・コントローラ８，データを一時記憶するためのＲＡＭ９およびプログラムその他必要なデータを記憶するＲＯＭ１０が含まれている。また，ハードディスク・ドライブ１３が外部Ｉ／Ｏコントローラ１２を介して接続されている。ハードディスク・ドライブ１３によってハードディスク（図示略）へのデータの書き込みおよび読み込みが行われる。
【００４５】
また，クライアント・コンピュータ１には割り込みコントローラ１４，マイク１５，メモリ・コントローラ１６，表示装置１９に画像を表示するために画像データを一時記憶するためのＶＲＡＭ１７が含まれている。ＶＲＡＭ１７に記憶されている画像データがディジタル・アナログ・コンバータ１８に与えられることによりアナログ映像信号に変換される。アナログ映像信号が表示装置１９に与えられることにより表示装置１９の表示画面上に画像が表示される。
【００４６】
クライアント・コンピュータ１に接続されているプリンタ２１は，プリンタ制御回路２０によって制御される。
【００４７】
被注文サーバ２５および店舗用サーバ３０の構成も図２に示すクライアント・コンピュータ１の構成とほぼ同様である。ただし，クライアント・コンピュータ１に接続されているプリンタ２１は，比較的低解像度のものが多いのに対し，被注文サーバ２５および店舗用サーバ３０に接続されるプリンタは高解像度のものとなる点で異なる。また，被注文サーバ２５には次に述べるような各種テーブルがハードディスク（図示略）に記憶されている。
【００４８】
図３から図１０は，被注文サーバ２５に記憶されている各種テーブルの内容を示している。テーブルには，店舗基本情報テーブル，展開サービス・テーブル，単価テーブル，特別サービス・テーブル，特別単価テーブル，広告文字テーブルおよび広告コンテンツ・テーブルがある。
【００４９】
店舗基本情報テーブルは，被注文サーバ２５とデータ通信が可能な店舗用サーバ３０が配置されている店舗についての基本情報を記憶するテーブルである。店舗基本情報テーブルには，店舗ごとに固有な店舗番号，店舗名称，店舗の郵便番号，店舗の都道府県別の所在地，店舗の郡市区別の所在地，店舗の区町村別の所在地，店舗の所在地（都道府県から番地までのすべてを表したもの），店舗の電話番号および店舗のファクシミリ番号が各店舗ごとに記憶されている。
【００５０】
展開サービス・テーブルは，店舗が展開するサービスについての情報を記憶するテーブルである。展開サービス・テーブルには，サービス番号，上述の店舗番号，サービスの名称，そのサービスの基本料金およびそのサービスを行った場合の納期がサービス番号ごとに記憶されている。
【００５１】
単価テーブルは，サービス（番号）に対応する単価についての情報を記憶するテーブルである。単価テーブルには，サービス番号，印刷下限枚数，印刷上限枚数および単価がサービス番号ごとに記憶されている。
【００５２】
特別サービス・テーブルは，店舗が展開する特別サービスについての情報を記憶するテーブルである。特別サービス・テーブルには，サービス番号，特別基本料金，特別基本料金の開始年月日および特別開始料金の終了年月日がサービス番号ごとに記憶されている。
【００５３】
特別単価テーブルは，店舗が設定する単価についての特別価格についての情報を記憶するテーブルである。特別単テーブルには，サービス番号，印刷下限枚数，印刷上限枚数および特別単価がサービス番号ごとに記憶されている。
【００５４】
広告文字テーブルは，店舗についての広告の文字を構成するファイルを指定するＵＲＬ（Uniform Resouece Locator）を店舗番号ごとに記憶するテーブルである。
【００５５】
広告コンテンツ・テーブルは，店舗についてのコンテンツ（広告を構成する画像）を構成するファイルを指定するＵＲＬを店舗番号ごとに記憶するテーブルである。
【００５６】
これらのテーブルのうち店舗情報基本テーブルと，展開情報サービス・テーブルと，広告文字テーブルと，広告コンテンツ・テーブルとは互いに店舗番号によりリンクされていることとなる。また，展開サービス・テーブルと，単価テーブルと，特別サービス・テーブルと，特別単価テーブルとは互いにサービス番号によりリンクされていることとなる（図３参照）。
【００５７】
図１１から図１４は，画像印刷注文の処理手順を示すフローチャートである。図１５は，クライアント・コンピュータ１に接続されている表示装置１９に表示される画面（ウインドウ）の遷移を示している。図１６から図２１は，クライアント・コンピュータ１に接続されている表示装置１９に表示される表示画面の一例を示している。
【００５８】
まず，クライアント・コンピュータ１と被注文サーバ２５とがインターネットを介して接続される。すると，クライアント・コンピュータ１の表示装置１９の表示画面には，図１６に示すようなトップページ画面が表示される（ステップ４１）。トップページ画面には，個人情報登録領域Ａ１１，サービス・メニュー領域Ａ１２および店舗一覧領域Ａ１３が含まれている。
【００５９】
個人情報登録領域Ａ１１は，クライアント・コンピュータ１のユーザの個人情報（ユーザの氏名，住所，電話番号，メールアドレスなど）を入力するときに，ユーザによってクリックされる領域である。個人情報登録領域Ａ１１がクリックされると，クライアント・コンピュータ１の表示装置１９の表示画面には図１７に示す個人情報登録画面が表示される。個人情報登録画面には，入力された個人情報を表示するための領域２１が含まれている。
【００６０】
サービス・メニュー領域Ａ１２は，画像印刷システムにおいてユーザが利用できるサービスの内容を表示するときにユーザによってクリックされる領域である。サービス・メニュー領域Ａ１２がクリックされると，クライアント・コンピュータ１の表示装置１９の表示画面には図１８に示すサービス・メニュー画面が表示される。サービス・メニュー画面には，サービスの内容を表す領域Ａ３１，Ａ３２およびＡ３３が含まれている。アップロード・プリント領域Ａ３１は，クライアント・コンピュータ１から被注文サーバ２５に画像データをアップロードしてアップロードした画像データによって表される画像を店舗用サーバ３０に接続されている高解像度プリンタを用いて印刷するときに，ユーザによってクリックされる領域である。ポストカード領域Ａ３２は，ポストカードを作成するときにユーザによってクリックされる領域である。カレンダ領域Ａ３３は，カレンダを作成するときにユーザによってクリックされる領域である。
【００６１】
店舗一覧領域Ａ１３は，店舗用サーバ３０が配置されている店舗名を一覧表示するときにユーザによってクリックされる領域である。店舗一覧領域がクリックされると，後述するように店舗一覧表示画面（図２６参照）が表示装置１９に表示される。
【００６２】
ここではまず，クライアント・コンピュータ１のユーザによってトップページ画面に含まれるサービス・メニュー領域Ａ１２がクリックされたものとする（ステップ４１）。サービス・メニュー領域Ａ１２がクリックされると，クライアント・コンピュータ１の表示装置１９の表示画面上には図１８に示すサービス・メニュー表示画面が表示される（ステップ４２）。また，ここでは，ポストカード領域Ａ３２がクリックされ，ポストカード作成サービスがユーザによって選択されたものとする（ステップ４２）。
【００６３】
ユーザによってポストカード作成サービスが選択されると，ポストカード作成サービスが選択されたことを表すポストカード選択データがクライアント・コンピュータ１から被注文サーバ２５に送信される（ステップ４３）。
【００６４】
被注文サーバ２５においてポストカード選択データを受信すると，被注文サーバ２５のハードディスクに記憶されている展開サービス・テーブル（図５参照）が読み出され，ポストカード・サービスを実施している店舗の番号が検索される（ステップ７１）（検索結果１）。この検索結果１を表すデータが被注文サーバ２５からクライアント・コンピュータ１に送信される。
【００６５】
クライアント・コンピュータ１から送信された検索結果１を表すデータがクライアント・コンピュータ１において受信される。すると，クライアント・コンピュータ１に接続されている表示装置１９の表示画面には検索結果１にもとづいて図１９に示すポストカード・サービス提供店舗一覧表示画面が表示される（ステップ４４）。
【００６６】
ポストカード・サービス提供店舗一覧表示画面には，検索された店舗をさらに絞り込む方法を表示する領域Ａ４１，店舗を絞り込む方法を変更するときにプルダウンする領域Ａ４２および絞り込まれた店舗を表示する領域Ａ４３が含まれている。検索された店舗をさらに絞り込む場合には，まず，領域Ａ４２がプルダウンされる。領域Ａ４２がプルダウンされることにより「地域選択」，「自動」および「郵便番号」を用いた絞り込み方法が領域Ａ４１に表示される。領域Ａ４１に表示されたこれらの方法のうち所望の方法がユーザによって選択される。
【００６７】
ユーザによって「地域選択」が選択されると，クライアント・コンピュータ１に接続されている表示装置１９の表示画面には地域選択画面（図示略）が表示される（ステップ４５）。地域選択画面には，都道府県別（またはさらに細かい地域別）の地域が表示される。ユーザによって所望の地域が選択される（ステップ４６）。選択された地域を表すデータがクライアント・コンピュータ１から被注文サーバ２５に送信される（ステップ４７）。
【００６８】
ユーザによって「郵便番号」が選択されると，クライアント・コンピュータ１に接続されている表示装置１９の表示画面には郵便番号入力画面（図示略）が表示される（ステップ４８）ユーザによって所望の郵便番号が入力される（ステップ４９）。入力された郵便番号を表すデータがクライアント・コンピュータ１から被注文サーバ２５に送信される（ステップ５０）。
【００６９】
ユーザによって「自動」が選択されると，そのユーザについての個人情報がすでに登録されているかどうかが判断される（ステップ５１）。個人情報がまだ登録されていなければ（ステップ５１でＮ０），図１７に示す個人情報登録画面がクライアント・コンピュータ１に接続されている表示装置１９の表示画面上に表示される（ステップ５２）。ユーザによって個人情報が入力される（ステップ５３）。入力された個人情報を表すデータは，クライアント・コンピュータ１から被注文サーバ２５に送信される。
【００７０】
個人情報が入力される，またはすでに個人情報が登録済であれば，郵便番号にもとづいて店舗を絞り込むか，ユーザの住所の市区町村にもとづいて店舗を絞り込むかが判断される（ステップ５４）。この判断は，あらかじめ設定されることとなろう。もちろん，この設定は変更できるのはいうまでもない。郵便番号にもとづいて店舗を絞り込むように設定されている場合には，個人情報に登録された郵便番号を表すデータがクライアント・コンピュータ１から被注文サーバ２５に送信される（ステップ５５）。市区町村にもとづいて店舗を絞り込むように設定されている場合には，個人情報に登録された住所を表すデータがクライアント・コンピュータ１から被注文サーバ２５に送信される（ステップ５６）。
【００７１】
もっとも個人情報は，被注文サーバ２５に登録されているのでステップ５４に示す処理は，被注文サーバ２５において実行してもよい。この場合には，ステップ５５および５６に示す処理は，省略されることとなろう。
【００７２】
選択された地域を表すデータ，郵便番号を表すデータまたは市区町村を表すデータにいずれかのデータを被注文サーバ２５において受信されると（ステップ７２），被注文サーバ２５においてその内容が判断される（ステップ７３）。
【００７３】
被注文サーバ２５において，ユーザが選択した地域を表すデータが受信されると，被注文サーバ２５のハードディスクに記憶されている店舗基本テーブルが読み出され，検索結果１に該当する店舗番号のうち選択された地域に存在する店舗が検索される（ステップ７４）。
【００７４】
被注文サーバ２５において，ユーザが選択した郵便番号を表すデータが受信されると，店舗基本テーブルを用いて検索結果１に該当する店舗番号のうち選択された郵便番号をもつ店舗が検索される（ステップ７５）。
【００７５】
被注文サーバ２５において，個人情報に登録されている郵便番号にもとづいて店舗を検索する場合には，個人情報に登録されている郵便番号と同じ郵便番号をもつ店舗が検索される（ステップ７６）。
【００７６】
被注文サーバにおいて，個人情報に登録されている住所にもとづいて店舗を検索する場合には，個人情報に登録されている住所の市区町村と同じ市区町村にある店舗が検索される（ステップ７７）。
【００７７】
検索された店舗を表すデータが被注文サーバ２５からクライアント・コンピュータ１に送信される（ステップ７８）。
【００７８】
クライアント・コンピュータ１において，被注文サーバ２５から送信された検索された店舗を表すデータが受信されると，その店舗を表すデータによって表される店舗一覧がポストカード・サービス提供店舗一覧表示画面の領域Ａ４３に表示される（ステップ５７）。ユーザは，領域Ａ４３に表示された店舗一覧から所望の店舗を選択する（ステップ５８）。
【００７９】
店舗が選択されると，クライアント・コンピュータ１に接続されている表示装置１９の表示画面上には図２０に示すポストカード作成画面が表示される（ステップ５９）。
【００８０】
ポストカード作成画面には，ポストカード作成手順を表示する領域Ａ５１，ホーム・ボタン，バック・ボタンおよびヘルプ・ボタンを表示する領域Ａ５２，クリップアートのカテゴリーを選択する領域Ａ５３およびポストカード表示領域Ａ５４が含まれている。さらにポストカード作成画面にはポストカード作成に用いられる画像を位置合わせするときにユーザによってクリックされる領域Ａ５５，画像を拡大，縮小するときにユーザによってクリックされる領域Ａ５６，画像を回転させるときにユーザによってクリックされる領域Ａ５７，位置合わせを行う画像を選択するための領域Ａ５８ならびにクリップアートが表示される領域Ａ５９が含まれている。
【００８１】
ユーザはポストカード作成画面に表示されている各領域をクリックしながらポストカードを作成していく。
【００８２】
ポストカードを作成する場合には，ポストカードのテンプレート，ポストカードに合成すべき画像などが必要となるが，これらのデータはクライアント・コンピュータ１のユーザ自身が有しているものを用いてもよいし，被注文サーバ２５が有しているデータをダウンロードしてもよい。いずれにしても所望のポストカードがクライアント・コンピュータ１のユーザによって作成される。作成されたポストカードを表す画像はポストカード作成画面の領域Ａ５４に表示される。
【００８３】
ポストカードが作成されると，クライアント・コンピュータ１の表示装置１９の表示画面には図２１に示すポストカード注文画面が表示される（ステップ６０）。ポストカード注文画面には，はがきの種類，注文枚数，受け取り店舗，名前，名前のふりがな，年齢，性別，業種，職種，電子メール・アドレス，電話番号，ファクシミリ番号，郵便番号，住所およびパスワードを入力する領域Ａ７０が含まれている。ポストカード注文画面にはさらに利用料金を再度計算するときにユーザによってクリックされる領域Ａ７２，ポストカードを発注するときにユーザによってクリックされる領域Ａ７３，入力した注文情報を消去するときにクリックされる領域Ａ７４および注文をキャンセルするときにクリックされる領域Ａ７５が含まれている。
【００８４】
ユーザによって注文情報が入力される。注文情報の入力が終了すると，入力された注文情報を表すデータはクライアント・コンピュータ１から被注文サーバ２５に送信される。
【００８５】
被注文サーバ２５において注文情報が受信されると，その注文情報にもとづいて利用料金が算出される（ステップ７９）。利用料金算出処理について詳しくは後述する。利用料金が算出されると，算出された利用料金を表すデータが被注文サーバ２５からクライアント・コンピュータ１に送信される。
【００８６】
クライアント・コンピュータ１において利用料金を表すデータが受信されると，そのデータによって表される利用料金がポストカード注文画面の領域Ａ７１に表示される。ユーザによって利用料金が確認されると，領域Ａ７３がユーザによってクリックされる。これによりクライアント・コンピュータ１から被注文サーバ２５にポストカードの作成の発注が行われる（ステップ６２）。
【００８７】
被注文サーバ２５においてクライアント・コンピュータ１からのポストカードの発注を表すデータを受信すると，注文情報ならびにポストカードを作成するためのテンプレート・データおよび画像データが，ユーザによって選択された店舗の店舗用サーバ３０に送信される（ステップ８０）。
【００８８】
店舗用サーバ３０において，被注文サーバ２５から送信される注文情報，テンプレート・データおよび画像データが受信される（ステップ９１）。すると，受信したこれらのデータにもとづいて画像合成などのポストカード作成のための画像処理が店舗用サーバ３０において行われる（ステップ９２）。画像処理が終了すると，店舗用サーバ３０に接続されている解像度プリンタを用いてポストカードが注文枚数分印刷される（ステップ９３）。
【００８９】
画像合成などの画像処理は，店舗用サーバ３０において行わずに被注文サーバ２５において行ってもよい。この場合には，店舗用サーバ３０には画像処理されたデータが被注文サーバ２５から送信されることとなろう。また画像の印刷は店舗用サーバ３０において行わずに被注文サーバ２５のプリンタによって行ってもよい。この場合には被注文サーバ２５のオペレータによって印刷物が店舗に郵送されることとなろう。
【００９０】
図２２は，利用料金算出処理（図１３ステップ７９）の手順を示すフローチャートである。
【００９１】
まず，注文情報が解析される（ステップ１０１）。被注文サーバ２５のハードディスクに記憶されている展開サービス・テーブルが読み出され，解析された注文情報によって特定される店舗におけるポストカード・サービスのサービス番号が検索される（ステップ１０２）。サービス番号が見つかると，見つかったサービス番号が特別サービス・テーブルに記憶されているかどうかが検索される（ステップ１０３）。
【００９２】
該当すれば（ステップ１０４でＹＥＳ），特別サービス期間内かどうかか確認される（ステップ１０５）。期間内であれば（ステップ１０６でＹＥＳ），特別サービス・テーブルのうち該当する基本料金および特別単価テーブルのうち該当する単価が検索され，注文枚数に応じて利用料金が算出される（ステップ１０７）。
【００９３】
特別サービス・テーブルに検索結果に応じたデータがないか，特別サービス・テーブルに検索結果に応じてデータが合った場合でも特別サービス期間外であれば（ステップ１０４または１０５でＮＯ），展開サービス・テーブルの基本料金および単価テーブルの該当する単価が検索され，注文枚数に応じて利用利用金が算出される（ステップ１０８）。
【００９４】
算出された利用料金を表すデータが上述のようにクライアント・コンピュータ１に送信され，クライアント・コンピュータ１に接続されている表示装置１９に表示されるとともに，被注文サーバ２５の表示装置にも表示され，被注文サーバ２５のオペレータによって確認される。
【００９５】
図２３から図２５は，画像印刷注文の処理手順を示すフローチャートである。これらの図において図１１から図１３に示す処理と同一の処理については同一符号を付して説明を省略する。図２６および図２７は，クライアント・コンピュータ１の表示装置１９に表示される画面の一例を示している。
【００９６】
図２３から図２７に示す実施例は，クライアント・コンピュータ１の表示装置１９に表示されるトップメニュー画面においてサービスメニュー領域Ａ１２がクリックされた場合のものである。
【００９７】
図２３から図２５において，図１１から図１３に示す処理と同一の処理については同一符号を付す。
【００９８】
クライアント・コンピュータ１の表示装置１９にトップページ画面（図１６参照）が表示されているときに，ユーザによって領域Ａ１２がクリックされると（ステップ４１），表示装置１９には図２６に示す店舗一覧画面が表示される（ステップ４４）。
【００９９】
店舗一覧画面には，上述したポストカード・サービス提供店舗一覧画面と同様に，店舗を絞り込む方法を選択する領域Ａ８１，プルダウン領域Ａ８２および店舗表示領域Ａ８３が含まれている。
【０１００】
上述したポストカード・サービス提供店舗一覧画面と同様に，ユーザによって選択された地域にもとづく検索によりみつかった地域に存在する店舗（ステップ４５，４６，４７，），自動検索により見つかった地域に存在する店舗（ステップ４８，４９，５０）または郵便番号にもとづく地域に存在する店舗（ステップ５１から５６）が領域Ａ８３に表示される。領域Ａ８３に表示された店舗の中から所望の店舗がユーザによって選択される（ステップ１０１）。
【０１０１】
ユーザによって店舗が選択されると，選択された店舗を表すデータがクライアント・コンピュータ１から被注文サーバ２５に送信される。
【０１０２】
被注文サーバ２５において，クライアント・コンピュータ１から選択された店舗を表すデータが受信される。クライアント・コンピュータ１のユーザにおいて選択された店舗が展開するサービスが，展開サービス・テーブルから検索される（ステップ１０２）。また，選択された店舗の広告を構成する文字が広告文字テーブルから検索される。さらに，選択された店舗の広告を構成するコンテンツが広告コンテンツ・テーブルから検索される。
【０１０３】
選択された店舗が実施しているサービス，広告の文字およびコンテンツが見つかると，見つかったこれらのデータが被注文サーバ２５からクライアント・コンピュータ１に送信される（ステップ１０２）。
【０１０４】
選択した店舗が実施しているサービス等のデータがクライアント・コンピュータ１において受信されると，クライアント・コンピュータ１の表示装置１９には図２７に示す選択された店舗ページ画面が表示される（ステップ４２）。店舗ページ画面に，選択した店舗が実施するサービスおよび選択した店舗の広告が表示される。
【０１０５】
ここでは，選択された店舗はアップロード・プリント・サービスおよびポストカード作成サービスを実施している。店舗ページ画面にはアップロード・プリントを行うときにユーザによってクリックされるアップロードプリント領域Ａ８４，ポストカードの作成を行うときにユーザによってクリックされるポストカード領域Ａ８５および広告領域Ａ８６が表示される。
【０１０６】
ポストカード作成の場合には，ユーザによって領域Ａ８４がクリックされ，ボスカード作成処理が実施される（ステップ５９，６０など）。ポストカード作成処理にともなう利用料金が算出され，クライアント・コンピュータ１の表示装置１９に表示される。その後の処理は，上述したようにトップページ画面においてサービス・メニュー一覧領域Ａ１２をユーザがクリックした場合と同様である。
【図面の簡単な説明】
【図１】画像印刷注文システムの概要を示している。
【図２】クライアント・コンピュータの電気的構成を示すブロック図である。
【図３】被注文サーバに記憶されるテーブルを示している。
【図４】店舗基本情報テーブルを示す。
【図５】展開サービス・テーブルを示す。
【図６】単価テーブルを示す。
【図７】特別サービス・テーブルを示す。
【図８】特別単価テーブルを示す。
【図９】広告文字テーブルを示す。
【図１０】広告コンテンツ・テーブルを示す。
【図１１】印刷注文処理の手順を示すフローチャートである。
【図１２】印刷注文処理の手順を示すフローチャートである。
【図１３】被注文サーバの処理手順を示す。
【図１４】店舗用サーバの処理手順を示す。
【図１５】クライアント・コンピュータ１の表示装置の画面遷移を示す。
【図１６】表示画面の一例を示す。
【図１７】表示画面の一例を示す。
【図１８】表示画面の一例を示す。
【図１９】表示画面の一例を示す。
【図２０】表示画面の一例を示す。
【図２１】表示画面の一例を示す。
【図２２】利用料金算出の処理手順を示す。
【図２３】印刷注文の処理手順を示すフローチャートである。
【図２４】印刷注文の処理手順を示すフローチャートである。
【図２５】印刷注文の処理手順を示すフローチャートである。
【図２６】表示画面の一例を示す。
【図２７】表示画面の一例を示す。
【符号の説明】
１  クライアント・コンピュータ
２  モデム
５  マウス
６  キーボード
１１  ＣＰＵ
１３  ＨＤドライブ
１９  表示装置
２１  プリンタ
２５  被注文サーバ
３０  店舗用サーバ
Ａ１２  サービス・メニュー領域
Ａ１３  店舗一覧領域
【図１】
0003926470.tif 000002
【図２】
0003926470.tif 000003
【図３】
0003926470.tif 000004
【図４】
0003926470.tif 000005
【図５】
0003926470.tif 000006
【図６】
0003926470.tif 000007
【図７】
0003926470.tif 000008
【図８】
0003926470.tif 000009
【図９】
0003926470.tif 000010
【図１０】
0003926470.tif 000011
【図１１】
0003926470.tif 000012
【図１２】
0003926470.tif 000013
【図１３】
0003926470.tif 000014
【図１４】
0003926470.tif 000015
【図１５】
0003926470.tif 000016
【図１６】
0003926470.tif 000017
【図１７】
0003926470.tif 000018
【図１８】
0003926470.tif 000019
【図１９】
0003926470.tif 000020
【図２０】
0003926470.tif 000021
【図２１】
0003926470.tif 000022
【図２２】
0003926470.tif 000023
【図２３】
0003926470.tif 000024
【図２４】
0003926470.tif 000025
【図２５】
0003926470.tif 000026
【図２６】
0003926470.tif 000027
【図２７】
0003926470.tif 000028